(57)【要約】【課題】  壁パネルや天井パネルの境目部分においてパネル表面の意匠を最大限活かしつつ、隣接するパネル間の隙間を外観上、目立たなくさせることができ、しかも、色のバリエーションを増やす必要もない内装用目地材を提供すること。【解決手段】  板状または棒状のフロント部１と、裏側フランジ部２と、これらを繋ぐ連結部３とを少なくとも有し、かつ、前記フロント部１と裏側フランジ部２の間に、内装パネルＰが挿入される嵌装凹部４を備えて構成すると共に、前記フロント部１を、透明樹脂材料によってプリズム作用またはレンズ作用を及ぼす形状または構造に形成して、前記嵌装凹部４に内装パネルＰを装着したとき、前記フロント部１の裏側に配置された内装パネルＰの表面を、フロント部１を通して拡大または位置をズラして映し出すことにより、内装パネルＰ・Ｐ間の隙間の可視面積が小さくなるようにした。【選択図】  図１
2017095910.tif 000002
【特許請求の範囲】
【請求項１】
隣り合う内装パネル(Ｐ)(Ｐ)間に取り付けられる内装用目地材であって、
板状または棒状のフロント部(１)と、裏側フランジ部(２)と、これらを繋ぐ連結部(３)とを少なくとも有し、かつ、前記フロント部(１)と裏側フランジ部(２)との間に、内装パネル(Ｐ)が挿入される嵌装凹部(４)を備えて構成されている一方、
前記フロント部(１)については、透明樹脂材料によってプリズム作用またはレンズ作用を及ぼす形状または構造に形成されて、
前記嵌装凹部(４)に内装パネル(Ｐ)を装着したとき、前記フロント部(１)の裏側に配置された内装パネル(Ｐ)の表面が、フロント部(１)を通して拡大または位置をズラして映し出されることにより、内装パネル(Ｐ)(Ｐ)間の隙間の可視面積が小さくなることを特徴とする内装用目地材。
【請求項２】
隣り合う内装パネル(Ｐ)(Ｐ)間に取り付けられる内装用目地材であって、
板状または棒状のフロント部(１)の裏側中央に、内装パネル(Ｐ)(Ｐ)間の隙間に挿入される嵌装凸部(５)が断面Ｔ型となるように突設されて構成されている一方、
前記フロント部(１)については、透明樹脂材料によってプリズム作用またはレンズ作用を及ぼす形状または構造に形成されて、
前記嵌装凸部(５)を内装パネル(Ｐ)(Ｐ)の隙間に装着したとき、前記フロント部(１)の裏側に配置された内装パネル(Ｐ)の表面が、フロント部(１)を通して拡大または位置をズラして映し出されることにより、内装パネル(Ｐ)(Ｐ)間の隙間の可視面積が小さくなることを特徴とする内装用目地材。
【発明の詳細な説明】
【技術分野】
【０００１】
本発明は、内装用目地材の改良、詳しくは、壁パネルや天井パネルの境目部分においてパネル表面の意匠を活かしつつ、隣接するパネル間の隙間を外観上、目立たなくさせることも可能で、しかも、色のバリエーションを増やす必要もない内装用目地材に関するものである。
【背景技術】
【０００２】
近年、住宅等の内装工事において、室内の壁や天井を施工する際、並べて張り付けられる壁パネルまたは天井パネルの境目部分が目立って外観が損なわれないように、パネル間に断面Ｈ型または断面Ｔ型の目地材(例えば、特許文献１〜４参照)を取り付けて、壁パネル等の境目部分を目地材で隠蔽する方法が知られている。
【０００３】
しかし、上記目地材を使用する際には、目地材自体が目立たないように露出する表面部分の色が壁パネル等の色に近いものを選択していたものの、目地材の色のバリエーションには限りがあったため、壁パネル等と目地材の色調を完全に一致させることが難しく、色調の微妙な違いによって違和感が生じ易かった。
【０００４】
一方、従来においては、目地材の奥側に配置された壁パネル等の表面が透けて見えるように目地材を透明樹脂材料から作製したものも公知となっており(特許文献５,６参照)、このような透明な目地材を使用すれば、特に着色等を行わなくても目地材表面に映し出される色調をパネル表面の色調に合致させることができる。
【０００５】
しかしながら、上記従来の透明な目地材は、単純に奥側が透けて見えるだけの構造であったため、壁パネルや天井パネル間の隙間が、その面積分、目地材の表面上に暗い線状の外観となって現れてしまい、壁パネルや天井パネルの境目部分を目立たなくするという目地材本来の機能が損なわれる欠点があった。
【先行技術文献】
【特許文献】
【０００６】
【特許文献１】特開昭６１−１３６００８号公報
【特許文献２】特開平４−１４０３５７号公報
【特許文献３】特開平１１−１４１０９６号公報
【特許文献４】実用新案登録第３０８２３５７号公報
【特許文献５】特開２０００−２０４７４０号公報
【特許文献６】特許第４５３０８１５号公報
【発明の概要】
【発明が解決しようとする課題】
【０００７】
本発明は、上記の如き問題に鑑みて為されたものであり、その目的とするところは、壁パネルや天井パネルの境目部分においてパネル表面の意匠を最大限活かしつつ、隣接するパネル間の隙間を外観上、目立たなくさせることができ、しかも、色のバリエーションを増やす必要もない内装用目地材を提供することにある。
【課題を解決するための手段】
【０００８】
本発明者が上記課題を解決するために採用した手段を添付図面を参照して説明すれば次のとおりである。
【０００９】
即ち、本発明は、隣り合う内装パネルＰ・Ｐ間に取り付けられる内装用目地材において、板状または棒状のフロント部１と、裏側フランジ部２と、これらを繋ぐ連結部３とを少なくとも有し、かつ、前記フロント部１と裏側フランジ部２の間に、内装パネルＰが挿入される嵌装凹部４を備えて構成する一方、前記フロント部１については、透明樹脂材料によってプリズム作用またはレンズ作用を及ぼす形状または構造に形成して、前記嵌装凹部４に内装パネルＰを装着したとき、前記フロント部１の裏側に配置された内装パネルＰの表面を、フロント部１を通して拡大または位置をズラして映し出すことにより、内装パネルＰ・Ｐ間の隙間の可視面積(目に見える面積)が小さくなるようにした点に特徴がある。
【００１０】
また本発明では、上記内装用目地材の構成に代えて、板状または棒状のフロント部１の裏側中央に、内装パネルＰ・Ｐ間の隙間に挿入される嵌装凸部５を断面Ｔ型となるように突設して構成すると共に、前記フロント部１を、透明樹脂材料によってプリズム作用またはレンズ作用を及ぼす形状または構造に形成して、前記嵌装凸部５を内装パネルＰ・Ｐの隙間に装着したとき、前記フロント部１の裏側に配置された内装パネルＰの表面を、フロント部１を通して拡大または位置をズラして映し出すことにより、内装パネルＰ・Ｐ間の隙間の可視面積を小さくすることもできる。
【発明の効果】
【００１１】
本発明では、目地材の外観上露出するフロント部を、透明樹脂材料によって形成すると共に、プリズム作用またはレンズ作用を及ぼす形状または構造としたことにより、フロント部の奥側に配置されるパネル表面を拡大または位置をズラして映し出すことが可能となる。これにより、パネル間の隙間を小さく見せて(或いは隙間が見えないようにして)パネルの境目部分を目立たなくすることができる。
【００１２】
しかも、本発明では、上記のように目地材のフロント部を透明樹脂材料から形成しているため、奥側に配置される壁パネルや天井パネルの意匠を活かすことができる。またこれにより、目地材を着色してパネルの色調と一致させる必要もなくなるため、フロント部の色のバリエーションを増やす必要もない。
【００１３】
したがって、本発明により、内装パネル間の境目部分を目立たなくする目地材本来の機能を損なわず、かつ、パネル表面との色調の違いによる違和感も生じさせない内装用目地材を安価に提供できることから、本発明の実用的利用価値は頗る高い。
【図面の簡単な説明】
【００１４】
【図１】本発明の実施例１における内装用目地材を表わす全体斜視図である。
【図２】本発明の実施例１における内装用目地材の使用状態を表わす説明図である。
【図３】本発明の実施例１における内装用目地材の変形例を表わす横断面図である。
【図４】本発明の実施例２における内装用目地材の形状を表わす横断面図である。
【図５】本発明の実施例２における内装用目地材の変形例を表わす横断面図である。
【図６】本発明の実施例３における内装用目地材を表わす横断面図である。
【図７】本発明の実施例３における内装用目地材の変形例を表わす横断面図である。
【図８】本発明の実施例４における内装用目地材を表わす横断面図である。
【発明を実施するための形態】
【００１５】
『実施例１』
まず本発明の実施例１について、図１及び図２に基いて以下に説明する。なお同図において、符号Ｊで指示するものは、内装用目地材であり、符号１で指示するものは、フロント部である。また符号２で指示するものは、裏側フランジ部であり、符号３で指示するものは、連結部である。また符号４で指示するものは、嵌装凹部であり、符号Ｐで指示するものは、壁パネルや天井パネル等の内装パネルである。
【００１６】
［内装用目地材の構成］
[１]基本構成
この実施例１では、内装用目地材Ｊを、図１に示すように透明樹脂材料から成る三角柱状のフロント部１と、裏側フランジ部２と、これらを繋ぐ連結部３とから断面Ｈ型に構成している。また図２に示すように、フロント部１と裏側フランジ部２の間に形成された嵌装凹部４・４に内装パネルＰ・Ｐを挿入することによって、隣り合う内装パネルＰ・Ｐ同士の間に内装用目地材Ｊを取り付けできるようにしている。
【００１７】
そして上記構成を採用することによって、図２に示す嵌装凹部４・４に内装パネルＰ・Ｐを装着した状態で、フロント部１の裏側に配置された内装パネルＰの表面が、フロント部１を通して拡大または位置をズラして映し出されるため、内装パネルＰ・Ｐ間の隙間の可視面積をより小さく見せることができる。
【００１８】
[２]フロント部の形状および構造
上記フロント部１の形状に関しては、本実施例では三角柱状に形成しているが、プリズム作用を及ぼす形状であれば、例えば、図３(a)に示すような横断面に複数の三角形を含む菱形状の形態を採用することもできる。またフロント部１を棒状でなく板状に形成することもでき、その場合には、図３(b)(c)に示すように板の表裏面の一方または双方に三角形状の凹凸を設けて横断面に複数の三角形を含む形状とすることができる。
【００１９】
また上記フロント部１の表面または裏面に凹凸を形成する場合には、金型の形状により凹凸を形成する方法だけでなく、エンボスロール等で形成する方法も採用できる。また上記フロント部１は、構造的にプリズム作用が得られるようにすることもでき、例えば横断面に三角形を含む層を有する積層構造を採用することもできる。
【００２０】
[３]フロント部の材質
上記フロント部１の材質に関しては、透明性に優れた合成樹脂材料であれば問題なく使用することができるが、特に内装用目地材Ｊを押出成形によって作製する場合には、熱可塑性樹脂であるアクリル系樹脂やポリカーボネート樹脂、ポリスチレン系樹脂、ポリエチレンテレフタレート等を使用するのが好ましい。
【００２１】
[４]裏側フランジ部及び連結部の形状
上記裏側フランジ部２・２と連結部３については、本実施例では内装用目地材Ｊの横断面がＨ型となるように裏側フランジ部２を連結部３の両側に形成しているが、図３(d)に示すように裏側フランジ部２を連結部３の片側のみに設けて、内装用目地材Ｊの横断面がｈ型となるように構成することもできる。
【００２２】
また連結部３の両側に裏側フランジ部２・２を設ける場合には、左右の裏側フランジ部２・２の幅を変えて左右非対称に形成することもできる(図示せず)。また更に連結部３に関しては、図３(e)に示すようにオス部31とメス部32に分割して構成することによって、別体として作製されたフロント部１と裏側フランジ部２・２とを分解・組立て可能に構成することもできる。
【００２３】
[５]裏フランジ部及び連結部の材質
上記裏フランジ部２・２及び連結部３の材料に関しては、本実施例では内装用目地材Ｊ全体を押出成形できるようにフロント部１と同じ樹脂材料を使用しているが、異なる樹脂材料(例えば、不透明樹脂材料)を採用することもでき、その場合にはフロント部１の透明樹脂材料と共押出成形が可能な熱可塑性樹脂を採用するのが好ましい。
【００２４】
『実施例２』
[レンズ作用を及ぼすフロント部の形状]
本発明の実施例２について、図４に基づいて以下に説明する。この実施例２では、内装用目地材Ｊのフロント部１を、横断面が凸レンズ状となるように形成している(その他の構成については、実施例１と同様である)。これによりフロント部１にレンズ作用を発揮させることができるため、実施例１と同様、内装パネルＰ・Ｐ間の隙間の可視面積をより小さく見せることができる。
【００２５】
また上記レンズ作用を及ぼすフロント部１の形状としては、本実施例のような凸フレネルレンズ型の形状だけでなく、図５(a)に示すような両凸レンズ型や平凸レンズ型、凸メニスカスレンズ型の形状を採用することもできる。またフロント部１を、横断面が凹レンズ状となるように形成することもでき、その場合には、図５(b)に示すような両凹レンズ型や平凹レンズ型、凹メニスカスレンズ型、凹フレネルレンズ型の形状を採用することができる。
【００２６】
また更に、上記フロント部１の形状には、凸レンズや凹レンズの表面に三角形状の凹凸を付けた形状を採用することもでき、具体的には、図５(c)に示すような平凸レンズの表面に凹凸を付けた形状や、図５(d)に示すような凸メニスカスレンズの表面に凹凸を付けた形状を採用できる。
【００２７】
『実施例３』
[隅部分に使用される内装用目地材]
本発明の実施例３について、図６に基いて以下に説明する。この実施例３では、嵌装凹部４・４を形成しているフロント部１と裏側フランジ部２・２をそれぞれ直角形状とすることにより、内装用目地材Ｊを内装パネルＰ・Ｐが直角に配置される出隅部分に使用できるようにしている(その他の構成については、実施例１と同様である)。また図７に示すように、フロント部１と裏側フランジ部２・２を逆向きに折れ曲がった形状とすれば、入隅部分に使用可能な内装用目地材Ｊを構成できる。
【００２８】
『実施例４』
[断面Ｔ型の内装用目地材]
本発明の実施例４について、図８に基いて以下に説明する。なお同図において、符号５で指示するものは、嵌装凸部である。この実施例４では、透明樹脂から成る三角柱状のフロント部１の裏側中央に、嵌装凸部５を断面Ｔ型となるように突設して内装用目地材Ｊを構成している。これにより、嵌装凸部５を内装パネルＰ・Ｐ間の隙間に挿入するだけで、隣り合う内装パネルＰ・Ｐ同士の間に内装用目地材Ｊを取り付けできる。
【００２９】
また上記構成を採用することによって、実施例１と同様、嵌装凸部５を内装パネルＰ・Ｐの隙間に装着した状態で、フロント部１の裏側に配置された内装パネルＰの表面が、フロント部１を通して拡大または位置をズラして映し出されるため、内装パネルＰ・Ｐ間の隙間の可視面積をより小さく見せることができる。
【００３０】
また、上記フロント部１の形状や材質については、上記実施例１や実施例２、それらの変形例に挙げたものを採用できる。また嵌装凸部５に関しては、内装パネルＰ・Ｐ間の隙間に固定できる形状および材質を採用することができ、嵌装凸部５のみにエラストマー材料を使用することもできる。
【００３１】
本発明は、概ね上記のように構成されるが、本発明は図示の実施形態に限定されるものでは決してなく、「特許請求の範囲」の記載内において種々の変更が可能であって、例えば、内装用目地材Ｊは押出成形されたものに限らず、複雑な凹凸が形成可能な射出成形やインサート成形、プレス成形されたものを使用することもでき、上記何れのものも本発明の技術的範囲に属する。
【符号の説明】
【００３２】
１  フロント部
２  裏側フロント部
３  連結部
31  オス部
32  メス部
４  嵌装凹部
５  嵌装凸部
Ｊ  内装用目地材
【図１】
2017095910.tif 000003
【図２】
2017095910.tif 000004
【図３】
2017095910.tif 000005
【図４】
2017095910.tif 000006
【図５】
2017095910.tif 000007
【図６】
2017095910.tif 000008
【図７】
2017095910.tif 000009
【図８】
2017095910.tif 000010